(57)【特許請求の範囲】
【請求項１】
刃箱を含み、前記刃箱の右端には下方に延在する制御箱が固定され、前記制御箱の右端はハンドルが固定され、前記刃箱の中にはメインモータが固定され、前記メインモータの左方には駆動輪空間が設けられ、前記メインモータの左端には第一駆動軸が固定され、前記第一駆動軸は左方へ前記駆動輪空間に延在しており、前記駆動輪空間の中には前記第一駆動軸の左端と固定的に連結された駆動輪が設けられ、前記第一駆動軸を中心に三つの伸縮機構が環になるように配列され且つ中心対称となり、前記メインモータの右端には第二駆動軸が固定的に連結され、前記第二駆動軸は右方へ前記制御箱の中に延在しており、前記制御箱の中には制御機構が設けられ、前記制御機構の下方には集塵空間が設けられ、前記刃箱の下端にはＴ型スライダ空間が外部と連通になるように設けられ、前記Ｔ型スライダ空間の中にはＴ型スライダが摺動可能に連結され、前記Ｔ型スライダ空間の右端には支持棒空間が前記Ｔ型スライダ空間と連通になるように設けられ、前記支持棒空間は右方へ前記制御箱の中に延在しており、前記支持棒空間の中には支持棒が設けられ、前記支持棒は左端が前記Ｔ型スライダの右面と固定的に連結され、前記Ｔ型スライダは下方へ外部に延在しており、前記Ｔ型スライダの下端には吸塵箱が固定され、前記吸塵箱の右端には波形管が固定され、前記波形管の右端は前記制御箱の左面と固定されており、
前記制御機構は遠心ファン空間を含み、前記遠心ファン空間の中には前記第二空間軸と固定的に連結された遠心ファンが設けられ、前記遠心ファン空間の上端には推動板空間が前記遠心ファン空間と連通になるように設けられ、前記推動板空間の中には推動板が摺動可能に連結され、前記遠心ファンには外方に開口する複数の遠心ブロック空間が環になるように配列され、前記遠心ブロック空間の中には遠心ブロックが摺動可能に連結され、前記遠心ブロック空間の内壁には遠心引張ばねが固定され、前記遠心引張ばねの他端は前記遠心ブロックと固定され、前記第二駆動軸の右端には右方に開口するスプライン空間が設けられ、前記第二駆動軸の右方には引き戻し離合空間が設けられ、前記スプライン空間の中にはスプライン軸がスプラインを介して連結され、前記スプライン軸は右方へ前記引き戻し離合空間に延在しており、前記スプライン空間の右壁にはスプライン軸引張ばねが固定され、前記スプライン軸引張ばねの他端は前記スプライン軸の左端と固定され、前記引き戻し離合空間の中には圧迫板が設けられ、前記圧迫板と前記スプライン軸とは回動可能に連結され、前記圧迫板の右方には前記圧迫板と固定的に連結された第一摩擦盤が設けられ、前記圧迫板の左端と前記引き戻し離合空間の左壁とは圧迫板引張ばねによって連結され、前記圧迫板の左端には環状の圧迫板磁石が設けられ、前記引き戻し離合空間の上方には下方へ前記引き戻し離合空間と連通する引き戻し磁石空間が設けられ、前記引き戻し磁石空間は前記圧迫板の左方に位置しており、前記引き戻し磁石空間の中には前記圧迫板磁石と排斥する引き戻し離合磁石が設けられ、前記引き戻し離合磁石の上端と前記引き戻し磁石空間の上壁とは引き戻し離合圧縮ばねによって連結され、前記引き戻し離合空間の上方には上方に開口するボタン空間が設けられ、前記ボタン空間の下壁にはボタン圧縮ばねが固定され、前記ボタン圧縮ばねの他端にはボタンが固定され、前記ボタンの下端にはさらに引き戻し離合牽引縄が固定され、前記引き戻し離合牽引縄の他端は前記引き戻し離合磁石の上面と固定的に連結され、前記引き戻し離合空間の中には第一従動軸が設けられ、前記第一従動軸の右端は前記引き戻し離合空間の右壁と回動可能に連結され、前記引き戻し離合空間の中には前記第一従動軸と固定的に連結された第二摩擦盤が設けられ、前記第二摩擦盤の右方には前記第一従動軸と固定的に連結された第一プーリが設けられ、前記引き戻し離合空間の下方にはリール空間が設けられ、前記リール空間の中には第二従動軸が設けられ、前記第二従動軸の左端は前記リール空間の左壁と回動可能に連結され、前記リール空間の中には前記第二従動軸と固定的に連結された第二プーリが設けられ、前記第二プーリと前記第一プーリとは伝動ベルトによって伝動可能に連結され、前記第二プーリの右方には前記第二従動軸と固定的に連結されたリールが設けられており、
前記支持棒の右端には支持動力圧縮ばねが設けられ、前記支持動力圧縮ばねの他端は前記支持棒空間の右壁と固定的に連結され、前記支持棒の右端にはさらに支持棒牽引縄が固定され、前記支持棒牽引縄の他端は前記リールと固定的に連結され、前記制御箱において前記支持棒には上方に開口する吸塵位置制限溝が形成され、前記制御箱において前記支持棒空間の上方には吸塵位置制限空間が前記支持棒空間と連通になるように設けられ、前記吸塵位置制限空間の中には支持位置制限ブロックが設けられ、前記支持位置制限ブロックの上端と前記吸塵位置制限空間の上壁とは支持位置制限圧縮ばねによって連結され、前記支持位置制限ブロックは下方へ前記吸塵位置制限溝に延在しており、前記支持位置制限ブロックの上面と前記推動板とは牽引縄によって連結されており、
前記伸縮機構は伝動輪空間を含み、前記伝動輪空間の内壁は前記駆動輪空間の外壁と連通しており、前記伝動輪空間の中には前記駆動輪と噛み合った刃具離合輪が回動可能に設けられ、前記刃箱の中には前記伝動輪空間を貫通し且つ左方へ外部と連通する伸縮空間が設けられ、前記刃具離合輪の内側には複数の内方へ前記伸縮空間と連通する刃具離合位置制限溝が形成され、前記刃具離合位置制限溝の内壁には刃箱離合磁石が固定され、前記伸縮空間の中には刃具固定ブロックが摺動可能に連結され、前記刃具固定ブロックの中には左方に開口する刃具固定空間が設けられ、前記刃具固定空間の中には刃具が取り付けられ、前記伝動輪空間の右方には上方に開口する連結棒空間が設けられ、前記連結棒空間は下方へ前記伸縮空間と連通しており、前記刃具固定空間の右方には上方へ前記連結棒空間と連通する刃具離合位置制限空間が設けられ、前記刃具離合位置制限空間の中には刃具離合位置制限ブロックが設けられ、前記刃具離合位置制限ブロックの下端と前記刃具離合位置制限空間の下端壁とは刃具離合引張ばねによって連結され、前記刃具固定ブロックの右方には前記伸縮空間と摺動可能に連結された連結ブロックが設けられ、前記刃具固定ブロックの右方には右方へ前記連結ブロックの中に延在する連結軸が固定され、前記連結ブロックの中には左方に開口する位置制限輪空間が設けられ、前記位置制限輪空間の中には位置制限輪が回動可能に連結され、前記連結軸の右端は前記位置制限輪の左端と固定的に連結され、前記位置制限輪の下方には下方に開口する伸縮位置制限空間が設けられ、前記伸縮位置制限空間の上壁には伸縮位置制限圧縮ばねが固定的に連結され、前記伸縮位置制限圧縮ばねの他端には伸縮位置制限ブロックが固定され、前記伸縮空間の下端には上方へ前記伸縮空間と連通する第一伸縮位置制限溝が形成され、前記第一伸縮位置制限溝の左方には上方へ前記伸縮空間と連通する第二伸縮位置制限溝が形成され、前記連結棒空間の中には連結棒が摺動可能に設けられ、前記連結棒の下端は前記連結ブロックの上端と固定的に連結され、前記連結棒は上方へ外部に延在し且つ上端には推動ブロックが固定的に連結され、前記推動ブロックの中には右方に開口する引き金空間が設けられ、前記引き金空間の下壁には引き金がヒンジを介して設けられ、前記伸縮位置制限ブロックと前記引き金とは伸縮位置制限牽引縄によって連結され、前記刃具離合位置制限ブロックと前記引き金とは刃具離合牽引縄によって連結されており、
前記吸塵箱の中には上方に開口する吸塵空間が設けられ、前記吸塵空間の右方にはファン空間が前記吸塵空間と連通になるように設けられ、前記ファン空間の右壁には前記波形管と連通する前通風溝が形成され、前記ファン空間の中にはモータ固定棒が固定的に連結され、前記モータ固定棒にはファンモータが固定され、前記ファンモータの左面にはファンが固定されており、
前記集塵空間の左方には前記波形管と連通する後通風溝が形成され、前記集塵空間の中には集塵箱が摺動可能に連結され、前記集塵箱の中には左方に開口する埃収容空間が設けられ、前記埃収容空間の右壁には外部と連通する濾過網が設けられていることを特徴とする電動彫刻刀。
【発明の詳細な説明】
【技術分野】
【０００１】
本願発明は彫刻分野を取り上げ、特に電動彫刻刀に関わる。
【背景技術】
【０００２】
科学技術の発展につれ、多種多様な自動彫刻機が生み出され、汎用されつつあるが、芸術性や細部から見て、機械作業はやはり手作業に劣っている。そのため、手作業の特質を保ちつつ、科学技術によって効率を向上させられる電動彫刻刀は注目される。しかし、電動彫刻刀は作業速度が非常に速いため、彫刻部に大量の屑は生み出され、視界や彫刻効果に響き、衛生面や健康面から見ても好ましくない。また、彫刻中に、頻繁に刃部を取り替える必要があるが、ほとんどの電動彫刻刀は、刃部の取替は手間がかかり、時間を費やしてしまう。さらに、彫刻といった創作活動にとって、取替作業は手触りやインスピレーションなどを壊す。
【先行技術文献】
【特許文献】
【０００３】
【特許文献１】中国特許出願公開第１０３５５２４１７号明細書
【発明の概要】
【発明が解決しようとする課題】
【０００４】
電動彫刻刀を提供し、上記問題を解決することを目的とする。
【課題を解決するための手段】
【０００５】
本願に記載の電動彫刻刀は、刃箱を含み、前記刃箱の右端には下方に延在する制御箱が固定され、前記制御箱の右端はハンドルが固定され、前記刃箱の中にはメインモータが固定され、前記メインモータの左方には駆動輪空間が設けられ、前記メインモータの左端には第一駆動軸が固定され、前記第一駆動軸は左方へ前記駆動輪空間に延在しており、前記駆動輪空間の中には前記第一駆動軸の左端と固定的に連結された駆動輪が設けられ、前記第一駆動軸を中心に三つの伸縮機構が環になるように配列され且つ中心対称となり、前記メインモータの右端には第二駆動軸が固定的に連結され、前記第二駆動軸は右方へ前記制御箱の中に延在しており、前記制御箱の中には制御機構が設けられ、前記制御機構の下方には集塵空間が設けられ、前記刃箱の下端にはＴ型スライダ空間が外部と連通になるように設けられ、前記Ｔ型スライダ空間の中にはＴ型スライダが摺動可能に連結され、前記Ｔ型スライダ空間の右端には支持棒空間が前記Ｔ型スライダ空間と連通になるように設けられ、前記支持棒空間は右方へ前記制御箱の中に延在しており、前記支持棒空間の中には支持棒が設けられ、前記支持棒は左端が前記Ｔ型スライダの右面と固定的に連結され、前記Ｔ型スライダは下方へ外部に延在しており、前記Ｔ型スライダの下端には吸塵箱が固定され、前記支持棒が摺動すると、前記Ｔ型スライダと前記吸塵箱とをつれて摺動させ、前記吸塵箱の右端には波形管が固定され、前記波形管の右端は前記制御箱の左面と固定されている。
【０００６】
上記技術的解決策の上で、前記制御機構は遠心ファン空間を含み、前記遠心ファン空間の中には前記第二空間軸と固定的に連結された遠心ファンが設けられ、前記遠心ファン空間の上端には推動板空間が前記遠心ファン空間と連通になるように設けられ、前記推動板空間の中には推動板が摺動可能に連結され、前記遠心ファンには外方に開口する複数の遠心ブロック空間が環になるように配列され、前記遠心ブロック空間の中には遠心ブロックが摺動可能に連結され、前記遠心ブロック空間の内壁には遠心引張ばねが固定され、前記遠心引張ばねの他端は前記遠心ブロックと固定され、前記第二駆動軸の右端には右方に開口するスプライン空間が設けられ、前記第二駆動軸の右方には引き戻し離合空間が設けられ、前記スプライン空間の中にはスプライン軸がスプラインを介して連結され、前記スプライン軸は右方へ前記引き戻し離合空間に延在しており、前記スプライン空間の右壁にはスプライン軸引張ばねが固定され、前記スプライン軸引張ばねの他端は前記スプライン軸の左端と固定され、前記引き戻し離合空間の中には圧迫板が設けられ、前記圧迫板と前記スプライン軸とは回動可能に連結され、前記圧迫板の右方には前記圧迫板と固定的に連結された第一摩擦盤が設けられ、前記圧迫板の左端と前記引き戻し離合空間の左壁とは圧迫板引張ばねによって連結され、前記圧迫板の左端には環状の圧迫板磁石が設けられ、前記引き戻し離合空間の上方には下方へ前記引き戻し離合空間と連通する引き戻し磁石空間が設けられ、前記引き戻し磁石空間は前記圧迫板の左方に位置しており、前記引き戻し磁石空間の中には前記圧迫板磁石と排斥する引き戻し離合磁石が設けられ、前記引き戻し離合磁石の上端と前記引き戻し磁石空間の上壁とは引き戻し離合圧縮ばねによって連結され、前記引き戻し離合空間の上方には上方に開口するボタン空間が設けられ、前記ボタン空間の下壁にはボタン圧縮ばねが固定され、前記ボタン圧縮ばねの他端にはボタンが固定され、前記ボタンの下端にはさらに引き戻し離合牽引縄が固定され、前記引き戻し離合牽引縄の他端は前記引き戻し離合磁石の上面と固定的に連結され、前記ボタン圧縮ばねは前記引き戻し離合圧縮ばねにより弾力が強いため、はじめに、前記ボタンは押されて外部に位置し、対して前記引き戻し離合磁石は前記引き戻し磁石空間に位置しており、前記引き戻し離合空間の中には第一従動軸が設けられ、前記第一従動軸の右端は前記引き戻し離合空間の右壁と回動可能に連結され、前記引き戻し離合空間の中には前記第一従動軸と固定的に連結された第二摩擦盤が設けられ、前記第二摩擦盤の右方には前記第一従動軸と固定的に連結された第一プーリが設けられ、前記引き戻し離合空間の下方にはリール空間が設けられ、前記リール空間の中には第二従動軸が設けられ、前記第二従動軸の左端は前記リール空間の左壁と回動可能に連結され、前記リール空間の中には前記第二従動軸と固定的に連結された第二プーリが設けられ、前記第二プーリと前記第一プーリとは伝動ベルトによって伝動可能に連結され、前記第二プーリの右方には前記第二従動軸と固定的に連結されたリールが設けられている。
【０００７】
上記技術的解決策の上で、前記支持棒の右端には支持動力圧縮ばねが設けられ、前記支持動力圧縮ばねの他端は前記支持棒空間の右壁と固定的に連結され、前記支持棒の右端にはさらに支持棒牽引縄が固定され、前記支持棒牽引縄の他端は前記リールと固定的に連結され、前記制御箱において前記支持棒には上方に開口する吸塵位置制限溝が形成され、前記制御箱において前記支持棒空間の上方には吸塵位置制限空間が前記支持棒空間と連通になるように設けられ、前記吸塵位置制限空間の中には支持位置制限ブロックが設けられ、前記支持位置制限ブロックの上端と前記吸塵位置制限空間の上壁とは支持位置制限圧縮ばねによって連結され、前記支持位置制限ブロックは下方へ前記吸塵位置制限溝に延在しており、前記支持位置制限ブロックの上面と前記推動板とは牽引縄によって連結されている。
【０００８】
上記技術的解決策の上で、前記伸縮機構は伝動輪空間を含み、前記伝動輪空間の内壁は前記駆動輪空間の外壁と連通しており、前記伝動輪空間の中には前記駆動輪と噛み合った刃具離合輪が回動可能に設けられ、前記刃箱の中には前記伝動輪空間を貫通し且つ左方へ外部と連通する伸縮空間が設けられ、前記刃具離合輪の内側には複数の内方へ前記伸縮空間と連通する刃具離合位置制限溝が形成され、前記刃具離合位置制限溝の内壁には刃箱離合磁石が固定され、前記伸縮空間の中には刃具固定ブロックが摺動可能に連結され、前記刃具固定ブロックの中には左方に開口する刃具固定空間が設けられ、前記刃具固定空間の中には刃具が取り付けられ、前記伝動輪空間の右方には上方に開口する連結棒空間が設けられ、前記連結棒空間は下方へ前記伸縮空間と連通しており、前記刃具固定空間の右方には上方へ前記連結棒空間と連通する刃具離合位置制限空間が設けられ、前記刃具離合位置制限空間の中には刃具離合位置制限ブロックが設けられ、前記刃具離合位置制限ブロックの下端と前記刃具離合位置制限空間の下端壁とは刃具離合引張ばねによって連結され、はじめに、前記刃具離合引張ばねの牽引力により、前記刃具離合位置制限ブロック全体は前記刃具離合位置制限空間に位置しており、前記刃具固定ブロックの右方には前記伸縮空間と摺動可能に連結された連結ブロックが設けられ、前記刃具固定ブロックの右方には右方へ前記連結ブロックの中に延在する連結軸が固定され、前記連結ブロックの中には左方に開口する位置制限輪空間が設けられ、前記位置制限輪空間の中には位置制限輪が回動可能に連結され、前記連結軸の右端は前記位置制限輪の左端と固定的に連結され、前記位置制限輪の下方には下方に開口する伸縮位置制限空間が設けられ、前記伸縮位置制限空間の上壁には伸縮位置制限圧縮ばねが固定的に連結され、前記伸縮位置制限圧縮ばねの他端には伸縮位置制限ブロックが固定され、前記伸縮空間の下端には上方へ前記伸縮空間と連通する第一伸縮位置制限溝が形成され、前記第一伸縮位置制限溝の左方には上方へ前記伸縮空間と連通する第二伸縮位置制限溝が形成され、前記第二伸縮位置制限溝と前記刃具離合位置制限溝との距離は、前記第一伸縮位置制限溝と前記刃具離合位置制限空間との距離と同じであり、前記連結棒空間の中には連結棒が摺動可能に設けられ、前記連結棒の下端は前記連結ブロックの上端と固定的に連結され、前記連結棒は上方へ外部に延在し且つ上端には推動ブロックが固定的に連結され、前記推動ブロックの中には右方に開口する引き金空間が設けられ、前記引き金空間の下壁には引き金がヒンジを介して設けられ、前記伸縮位置制限ブロックと前記引き金とは伸縮位置制限牽引縄によって連結され、前記刃具離合位置制限ブロックと前記引き金とは刃具離合牽引縄によって連結されている。
【０００９】
上記技術的解決策の上で、前記吸塵箱の中には上方に開口する吸塵空間が設けられ、前記吸塵空間の右方にはファン空間が前記吸塵空間と連通になるように設けられ、前記ファン空間の右壁には前記波形管と連通する前通風溝が形成され、前記ファン空間の中にはモータ固定棒が固定的に連結され、前記モータ固定棒にはファンモータが固定され、前記ファンモータの左面にはファンが固定され、前記ファンモータが作動すると、空気は前記吸塵空間から前記波形管に送られ、即ち前記吸塵空間にある彫刻による屑は空気につれて前記波形管に送られる。
【００１０】
上記技術的解決策の上で、前記集塵空間の左方には前記波形管と連通する後通風溝が形成され、前記集塵空間の中には集塵箱が摺動可能に連結され、前記集塵箱の中には左方に開口する埃収容空間が設けられ、前記埃収容空間の右壁には外部と連通する濾過網が設けられ、前記濾過網は排気口として働くことができ、且つ彫刻による屑を前記集塵箱の中に隔離できる。
【発明の効果】
【００１１】
本発明は以下のプラス効果を有する：本願発明において、刃箱に同時に三種類の刃を取り付けられ、引き金を引いた後に推動ブロックを押すことで状況に応じて簡単に異なる刃を選べ、取替に消耗する時間を抑え、また、本願発明は吸塵集塵装置を備え、屑の影響を避けられ、精密彫刻を行う時に、ボタンを押せば、吸塵箱を一時的に収め、彫刻に対する干渉を避ける。
【図面の簡単な説明】
【００１２】
下記に図１〜５を合わせて本発明について詳しく説明し、便利に説明するために、本願に記載の各方向を以下のように規定する：図１は本願発明の正面図であり、本願に記載の各方向は、図１における観察方向に基づくものである。
【００１３】
【図１】図１は本願発明の全体構成略図
【図２】図２は図１におけるＡ方向からの構成略図
【図３】図３は図１の部分拡大構成略図
【図４】図４は図１の部分拡大構成略図
【図５】図５は図１におけるＤ―Ｄ部の部分断面構成略図
【発明を実施するための形態】
【００１４】
図１〜５を参照し、本願に記載の電動彫刻刀は、刃箱１０を含み、前記刃箱１０の右端には下方に延在する制御箱１１が固定され、前記制御箱１１の右端はハンドル１２が固定され、前記刃箱１０の中にはメインモータ１６が固定され、前記メインモータ１６の左方には駆動輪空間２０が設けられ、前記メインモータ１６の左端には第一駆動軸４０が固定され、前記第一駆動軸４０は左方へ前記駆動輪空間２０に延在しており、前記駆動輪空間２０の中には前記第一駆動軸４０の左端と固定的に連結された駆動輪４１が設けられ、前記第一駆動軸４０を中心に三つの伸縮機構が環になるように配列され且つ中心対称となり、前記メインモータ１６の右端には第二駆動軸７２が固定的に連結され、前記第二駆動軸７２は右方へ前記制御箱１１の中に延在しており、前記制御箱１１の中には制御機構が設けられ、前記制御機構の下方には集塵空間２６が設けられ、前記刃箱１０の下端にはＴ型スライダ空間２１が外部と連通になるように設けられ、前記Ｔ型スライダ空間２１の中にはＴ型スライダ３１が摺動可能に連結され、前記Ｔ型スライダ空間２１の右端には支持棒空間２９が前記Ｔ型スライダ空間２１と連通になるように設けられ、前記支持棒空間２９は右方へ前記制御箱１１の中に延在しており、前記支持棒空間２９の中には支持棒３５が設けられ、前記支持棒３５は左端が前記Ｔ型スライダ３１の右面と固定的に連結され、前記Ｔ型スライダ３１は下方へ外部に延在しており、前記Ｔ型スライダ３１の下端には吸塵箱１４が固定され、前記支持棒３５が摺動すると、前記Ｔ型スライダ３１と前記吸塵箱１４とをつれて摺動させ、前記吸塵箱１４の右端には波形管１５が固定され、前記波形管１５の右端は前記制御箱１１の左面と固定されている。
【００１５】
好ましくは、前記制御機構は遠心ファン空間７１を含み、前記遠心ファン空間７１の中には前記第二空間軸７２と固定的に連結された遠心ファン９１が設けられ、前記遠心ファン空間７１の上端には推動板空間６６が前記遠心ファン空間７１と連通になるように設けられ、前記推動板空間６６の中には推動板６７が摺動可能に連結され、前記遠心ファン９１には外方に開口する複数の遠心ブロック空間７０が環になるように配列され、前記遠心ブロック空間７０の中には遠心ブロック６８が摺動可能に連結され、前記遠心ブロック空間７０の内壁には遠心引張ばね６９が固定され、前記遠心引張ばね６９の他端は前記遠心ブロック６８と固定され、前記第二駆動軸７２の右端には右方に開口するスプライン空間７５が設けられ、前記第二駆動軸７２の右方には引き戻し離合空間８８が設けられ、前記スプライン空間７５の中にはスプライン軸７３がスプラインを介して連結され、前記スプライン軸７３は右方へ前記引き戻し離合空間８８に延在しており、前記スプライン空間７５の右壁にはスプライン軸引張ばね７４が固定され、前記スプライン軸引張ばね７４の他端は前記スプライン軸７３の左端と固定され、前記引き戻し離合空間８８の中には圧迫板７８が設けられ、前記圧迫板７８と前記スプライン軸７３とは回動可能に連結され、前記圧迫板７８の右方には前記圧迫板７８と固定的に連結された第一摩擦盤７９が設けられ、前記圧迫板７８の左端と前記引き戻し離合空間８８の左壁とは圧迫板引張ばね７６によって連結され、前記圧迫板７８の左端には環状の圧迫板磁石６４が設けられ、前記引き戻し離合空間８８の上方には下方へ前記引き戻し離合空間８８と連通する引き戻し磁石空間６５が設けられ、前記引き戻し磁石空間６５は前記圧迫板７８の左方に位置しており、前記引き戻し磁石空間６５の中には前記圧迫板磁石７７と排斥する引き戻し離合磁石６４が設けられ、前記引き戻し離合磁石６４の上端と前記引き戻し磁石空間６５の上壁とは引き戻し離合圧縮ばね６３によって連結され、前記引き戻し離合空間８８の上方には上方に開口するボタン空間８９が設けられ、前記ボタン空間８９の下壁にはボタン圧縮ばね９０が固定され、前記ボタン圧縮ばね９０の他端にはボタン６１が固定され、前記ボタン６１の下端にはさらに引き戻し離合牽引縄６２が固定され、前記引き戻し離合牽引縄６２の他端は前記引き戻し離合磁石６４の上面と固定的に連結され、前記ボタン圧縮ばね９０は前記引き戻し離合圧縮ばね６３により弾力が強いため、はじめに、前記ボタン６１は押されて外部に位置し、対して前記引き戻し離合磁石６４は前記引き戻し磁石空間６５に位置しており、前記引き戻し離合空間８８の中には第一従動軸８５が設けられ、前記第一従動軸８５の右端は前記引き戻し離合空間８８の右壁と回動可能に連結され、前記引き戻し離合空間８８の中には前記第一従動軸８５と固定的に連結された第二摩擦盤８７が設けられ、前記第二摩擦盤８７の右方には前記第一従動軸８５と固定的に連結された第一プーリ８６が設けられ、前記引き戻し離合空間８８の下方にはリール空間８４が設けられ、前記リール空間８４の中には第二従動軸８０が設けられ、前記第二従動軸８０の左端は前記リール空間８４の左壁と回動可能に連結され、前記リール空間８４の中には前記第二従動軸８０と固定的に連結された第二プーリ８２が設けられ、前記第二プーリ８２と前記第一プーリ８６とは伝動ベルト８１によって伝動可能に連結され、前記第二プーリ８２の右方には前記第二従動軸８０と固定的に連結されたリール８３が設けられている。
【００１６】
好ましくは、前記支持棒３５の右端には支持動力圧縮ばね３７が設けられ、前記支持動力圧縮ばね３７の他端は前記支持棒空間２９の右壁と固定的に連結され、前記支持棒３５の右端にはさらに支持棒牽引縄３９が固定され、前記支持棒牽引縄３９の他端は前記リール８３と固定的に連結され、前記制御箱１１において前記支持棒３５には上方に開口する吸塵位置制限溝２８が形成され、前記制御箱１１において前記支持棒空間２９の上方には吸塵位置制限空間３０が前記支持棒空間２９と連通になるように設けられ、前記吸塵位置制限空間３０の中には支持位置制限ブロック３８が設けられ、前記支持位置制限ブロック３８の上端と前記吸塵位置制限空間３０の上壁とは支持位置制限圧縮ばね３６によって連結され、前記支持位置制限ブロック３８は下方へ前記吸塵位置制限溝２８に延在しており、前記支持位置制限ブロック３８の上面と前記推動板６７とは牽引縄９７によって連結されている。
【００１７】
好ましくは、前記伸縮機構は伝動輪空間１８を含み、前記伝動輪空間１８の内壁は前記駆動輪空間２０の外壁と連通しており、前記伝動輪空間１８の中には前記駆動輪４１と噛み合った刃具離合輪９２が回動可能に設けられ、前記刃箱１０の中には前記伝動輪空間１８を貫通し且つ左方へ外部と連通する伸縮空間１９が設けられ、前記刃具離合輪９２の内側には複数の内方へ前記伸縮空間１９と連通する刃具離合位置制限溝５７が形成され、前記刃具離合位置制限溝５７の内壁には刃箱離合磁石４６が固定され、前記伸縮空間１９の中には刃具固定ブロック４７が摺動可能に連結され、前記刃具固定ブロック４７の中には左方に開口する刃具固定空間９３が設けられ、前記刃具固定空間９３の中には刃具１３が取り付けられ、前記伝動輪空間１８の右方には上方に開口する連結棒空間４２が設けられ、前記連結棒空間４２は下方へ前記伸縮空間１９と連通しており、前記刃具固定空間９３の右方には上方へ前記連結棒空間４２と連通する刃具離合位置制限空間４４が設けられ、前記刃具離合位置制限空間４４の中には刃具離合位置制限ブロック４３が設けられ、前記刃具離合位置制限ブロック４３の下端と前記刃具離合位置制限空間４４の下端壁とは刃具離合引張ばね４５によって連結され、はじめに、前記刃具離合引張ばね４５の牽引力により、前記刃具離合位置制限ブロック４３全体は前記刃具離合位置制限空間４４に位置しており、前記刃具固定ブロック４７の右方には前記伸縮空間１９と摺動可能に連結された連結ブロック５５が設けられ、前記刃具固定ブロック４７の右方には右方へ前記連結ブロック５５の中に延在する連結軸４８が固定され、前記連結ブロック５５の中には左方に開口する位置制限輪空間９４が設けられ、前記位置制限輪空間９４の中には位置制限輪４９が回動可能に連結され、前記連結軸４８の右端は前記位置制限輪４９の左端と固定的に連結され、前記位置制限輪９４の下方には下方に開口する伸縮位置制限空間５３が設けられ、前記伸縮位置制限空間５３の上壁には伸縮位置制限圧縮ばね５２が固定的に連結され、前記伸縮位置制限圧縮ばね５２の他端には伸縮位置制限ブロック５１が固定され、前記伸縮空間１９の下端には上方へ前記伸縮空間１９と連通する第一伸縮位置制限溝５０が形成され、前記第一伸縮位置制限溝５０の左方には上方へ前記伸縮空間１９と連通する第二伸縮位置制限溝１７が形成され、前記第二伸縮位置制限溝１７と前記刃具離合位置制限溝５７との距離は、前記第一伸縮位置制限溝５０と前記刃具離合位置制限空間４４との距離と同じであり、前記連結棒空間４２の中には連結棒５６が摺動可能に設けられ、前記連結棒５６の下端は前記連結ブロック５５の上端と固定的に連結され、前記連結棒５６は上方へ外部に延在し且つ上端には推動ブロック６０が固定的に連結され、前記推動ブロック６０の中には右方に開口する引き金空間５９が設けられ、前記引き金空間５９の下壁には引き金５８がヒンジを介して設けられ、前記伸縮位置制限ブロック５１と前記引き金５８とは伸縮位置制限牽引縄５４によって連結され、前記刃具離合位置制限ブロック４３と前記引き金５８とは刃具離合牽引縄９６によって連結されている。
【００１８】
好ましくは、前記吸塵箱１４の中には上方に開口する吸塵空間２２が設けられ、前記吸塵空間２２の右方にはファン空間２３が前記吸塵空間２０と連通になるように設けられ、前記ファン空間２３の右壁には前記波形管１５と連通する前通風溝２４が形成され、前記ファン空間２３の中にはモータ固定棒３４が固定的に連結され、前記モータ固定棒３４にはファンモータ３３が固定され、前記ファンモータ３３の左面にはファン３２が固定され、前記ファンモータ３３が作動すると、空気は前記吸塵空間２２から前記波形管１５に送られ、即ち前記吸塵空間２２にある彫刻による屑は空気につれて前記波形管１５に送られる。
【００１９】
好ましくは、前記集塵空間２６の左方には前記波形管１５と連通する後通風溝２５が形成され、前記集塵空間２６の中には集塵箱９５が摺動可能に連結され、前記集塵箱９５の中には左方に開口する埃収容空間が設けられ、前記埃収容空間の右壁には外部と連通する濾過網２７が設けられ、前記濾過網２７は排気口として働くことができ、且つ彫刻による屑を前記集塵箱９５の中に隔離できる。
【００２０】
はじめに、伸縮位置制限牽引縄５４は引き締まり、伸縮位置制限圧縮ばね５２は自由状態にあり、伸縮位置制限ブロック５１は第一伸縮位置制限溝５０に位置し、連結ブロック５５を固定し、刃具離合牽引縄９６は自由状態にあり、刃具離合引張ばね４５は自由状態にあり、刃具離合位置制限ブロック４３は刃具離合位置制限空間４４に位置し、ボタン圧縮ばね９０は自由状態にあり、ボタン６１は外部に突き出され、引き戻し離合牽引縄６２は引き締まり、引き戻し離合圧縮ばね６３は圧縮状態にあり、引き戻し離合磁石６４は引き戻し磁石空間６５に位置し、スプライン軸引張ばね７４は自由状態にあり、第一摩擦盤７９と第二摩擦盤８７とは接触しておらず、圧迫板引張ばね７６支持動力圧縮ばね３７は圧縮状態にあり、支持棒牽引縄３９は自由状態にあり、支持位置制限圧縮ばね３６は自由状態にあり、牽引縄９７は引き締まり、支持位置制限ブロック３８は吸塵位置制限溝２８に位置し、支持棒３５を固定している。
【００２１】
本願発明の作動手順は以下の通りである。
【００２２】
１、彫刻状況に応じて必要な刃具を選ぶには、当該刃具が対応する引き金５８を引くことで、伸縮位置制限牽引縄５４は連動して伸縮位置制限ブロック５１を連動させ、伸縮位置制限ブロック５１は伸縮位置制限圧縮ばね５２を抵抗して上方へ伸縮位置制限空間５３に入り、連結ブロック５５を移動可能にし、手で推動ブロック６０を左方へ押し、連結棒５６をつれて左方へ移動させ、続いて連結ブロック５５、連結軸４８、刃具固定ブロック４７、刃具１３は連動して左方へ移動し、刃具固定ブロック４７の中にある刃具離合位置制限空間４４が刃具離合位置制限溝５７に対応する位置までたどり着いたら、刃具離合磁石４６は刃具離合位置制限ブロック４３を吸引し、吸引力により、刃具離合位置制限ブロック４３は刃具離合引張ばね４５を抵抗して刃具離合位置制限溝５７に入り、刃具離合輪９２と刃具固定ブロック４７とが伝動でき、ここで刃具離合牽引縄９６は引き締まり、伸縮位置制限空間５３と第二伸縮位置制限溝１７とが対応し、引き金５８を放し、伸縮位置制限圧縮ばね５２の推動力により、伸縮位置制限ブロック５１は下方へ第二伸縮位置制限溝１７に入り、連結ブロック５５を固定する。
【００２３】
２、メインモータ１６を作動させ、第一駆動軸４０は駆動されて回転し、刃具離合輪９２を回転させることで、刃具固定ブロック４７を回転させ、刃具１３も連動して回転し、また、メインモータ１６の作動により第二駆動軸７２は駆動されて回転し、遠心ファン９１を回転させることで、遠心ブロック６８は遠心力によって遠心引張ばね６９を抵抗して外方へ運動し、推動板６７をつれて上昇させ、続いて牽引縄９７は連動して支持位置制限ブロック３８を連動させ、支持位置制限ブロック３８は支持位置制限圧縮ばね３６を抵抗して上昇して吸塵位置制限空間３０に入り、支持棒３５を移動可能にし、支持動力圧縮ばね３７の推動力により、支持棒３５は左方へ摺動し、Ｔ型スライダ３１をつれて左方へ摺動させることで、吸塵箱１４は連動して左方へ摺動し、吸塵箱１４が彫刻原料に当たったら、吸塵空間２２は刃具１３の先端部の真下に位置し、彫刻による屑は吸塵空間２２に入ることができ、ファンモータ３３を作動させ、ファン３２は駆動されて回転し、空気を吸塵空間２２から濾過網２７に送り、屑も連動して波形管１５を経由して位置制限輪空間９４に入り、送風中に濾過網２７は屑を遮ることができる。
【００２４】
３、精密彫刻を行う場合、ボタン６１を押し、ボタン圧縮ばね９０は圧縮され、引き戻し離合磁石６４は引き戻し離合圧縮ばね６３の推動力により降下して引き戻し離合空間８８に入り、引き戻し離合磁石６４と圧迫板磁石７７とが互いに排斥し、排斥力により圧迫板７８は圧迫板引張ばね７６を抵抗して右方へ運動し、第一摩擦盤７９は圧迫板７８の推動力によりスプライン軸引張ばね７４を抵抗して右方へ運動して第二摩擦盤８７と接触し、伝動を行い、ここでメインモータ１６は第二駆動軸７２を駆動して回転させることで、スプライン軸７３は連動して回転し、第一摩擦盤７９を回転させ、続いて第二摩擦盤８７は連動して回転し、第一従動軸８５と第一プーリ８６とを回転させ、伝動ベルト８１の伝動により、第二プーリ８２は連動して回転し、第二従動軸８０とリール８３とを回転させることで、支持棒牽引縄３９を引き締め、続いて支持棒３５は支持動力圧縮ばね３７を抵抗して右方へ運動し、吸塵箱１４を初期位置に戻し、精密彫刻が終わったら、ボタン６１を放し、第一摩擦盤７９と第二摩擦盤８７とが伝動できなくなり、支持棒牽引縄３９の牽引力をなくした支持棒３５は支持動力圧縮ばね３７に押されて左方へ運動し、吸塵箱１４をつれて左方へ初期位置に戻す。
【００２５】
４、彫刻し終えたら、メインモータ１６を止め、吸塵箱１４を初期位置に押し戻し、支持位置制限ブロック３８は支持位置制限圧縮ばね３６に押されて降下して吸塵位置制限溝２８に入り、支持棒３５を固定し、引き金５８を引き、刃具離合牽引縄９６の牽引により刃具離合位置制限ブロック４３は刃具離合磁石４６を抵抗して降下して刃具離合位置制限空間４４に入り、伸縮位置制限ブロック５１は伸縮位置制限牽引縄５４の牽引により伸縮位置制限圧縮ばね５２を抵抗して上昇して伸縮位置制限空間５３に入り、ここで刃具固定ブロック４７と連結ブロック５５とは移動可能であり、推動ブロック６０を押して右方へ移動させ、連結棒５６、連結ブロック５５、刃具固定ブロック４７は連動して右方へ摺動して初期位置に戻り、引き金５８を放し、伸縮位置制限ブロック５１は伸縮位置制限圧縮ばね５２に押されて下方へ第一伸縮位置制限溝５０に入り、連結ブロック５５は固定され、集塵箱９５に屑がいっぱいになったら、位置制限輪空間９４から集塵箱９５を引き出し、屑を処理して再び集塵箱９５を位置制限輪空間９４に戻す。
【００２６】
以上の方式により、当該分野の技術者は本願発明の範囲内で作業状況に応じて様々な改変を加えることができる。
【要約】
【課題】本願は電動彫刻刀を開示した。
【解決手段】
本願に記載の電動彫刻刀は、刃箱を含み、前記刃箱の右端には下方に延在する制御箱が固定され、前記制御箱の右端はハンドルが固定され、前記刃箱の中にはメインモータが固定され、前記メインモータの左方には駆動輪空間が設けられ、前記メインモータの左端には第一駆動軸が固定され、前記第一駆動軸は左方へ前記駆動輪空間に延在しており、前記駆動輪空間の中には前記第一駆動軸の左端と固定的に連結された駆動輪が設けられ、前記第一駆動軸を中心に三つの伸縮機構が環になるように配列され且つ中心対称となり、前記メインモータの右端には第二駆動軸が固定的に連結され、前記第二駆動輪は右方へ前記制御箱の中に延在しており、前記制御箱の中には制御機構が設けられている。
【選択図】図１【図１】
0006799215.tif 000002
【図２】
0006799215.tif 000003
【図３】
0006799215.tif 000004
【図４】
0006799215.tif 000005
【図５】
0006799215.tif 000006